(57)【要約】【課題】  本を見開くだけで、産まれた当時の（撮影当時の）乳幼児を恰も抱いている感覚を体感することが可能となり、当時の様々な記憶に思いを寄せることができる本を提供する。【解決手段】  乳幼児２００の等身大写真における当該乳幼児２００の身長方向Ｈの中央位置が、本１０の見開きのど部１２となるように配置する。加えて、当該本１０を見開いた状態において、のど部１２を中心として天１４又は地１６の少なくとも一方を、略半月上に凹ませて構成する。【選択図】図１
0003183972.tif 000002
【実用新案登録請求の範囲】
【請求項１】
乳幼児の等身大写真における当該乳幼児の身長方向の中央位置が、本の見開きのど部となるように配置した
ことを特徴とする本。
【請求項２】
請求項１において、
当該本を見開いた状態において、のど部を中心として天又は地の少なくとも一方が、略半月上に凹んだ形状に構成されている
ことを特徴とする本。
【考案の詳細な説明】
【技術分野】
【０００１】
本考案は、乳幼児の等身大写真を利用して作成するメモリアルブックに関するものである。
【背景技術】
【０００２】
従来から、乳幼児の写真や手形足形等を取り込むことができる飾りフレームなどは広く一般に利用されている。例えば特許文献１においては、
手や足を押し付けることにより窪んだ手型や足型を取って残すことができる粘土質等の型取り材と、その型取り材を充填する受皿と、型取り材の表面を覆ってその型取り材に取った手型や足型を透視できるように少なくともその一部を透明とした表面カバーとを備えて、その表面カバーの一部に手型や足型を取る本人の写真を飾る写真展示部と、同じくその本人の身長、体重、血液型等の記録やメッセージ等を記入する記録カードを展示する記録カード展示部とを設けた飾り額が開示されている。これにより、赤ちゃんなどの手型や足型及び写真を飾って見ることができるとともに、それに加えて、その赤ちゃんなどに関する記録やエピソードなども知ることができて、その赤ちゃんなどの全体像の記憶を鮮明に呼び戻しやすく、思い出を十分に懐しむことができるとされている。
【０００３】
また、非特許文献１にもあるように、乳幼児の頃の写真等を利用した本（メモリアルブック）を作成することも広く一般に行われている。
【先行技術文献】
【特許文献】
【０００４】
【特許文献１】実用新案登録第３０７６１８２号
【非特許文献】
【０００５】
【非特許文献１】アルバムファクトリーウェブサイト（http://www.albumehon.co.jp/）
【考案の概要】
【考案が解決しようとする課題】
【０００６】
しかしながら、上記従来技術は、適当な大きさの写真を残しておくというに過ぎず、産まれた当時の（写真撮影した当時の）実際の大きさをリアルに再現できる物ではなく、思い起こされる記憶もそれに応じて曖昧なものであった。そこで出願人は、乳幼児を簡単な方法で寸分の狂いもない等身大写真を作成する方法を発明し、別途既に出願を行っている（特願２０１３−０６９３７８）。更に出願人は、この写真を利用して、恰も産まれた当時の（写真撮影した当時の）乳幼児を抱いているような感覚を得ることができる本（メモリアルブック）を考案したのである。
【課題を解決するための手段】
【０００７】
上記課題を解消するべく、本考案は、乳幼児の等身大写真における当該乳幼児の身長方向の中央位置が、本の見開きのど部となるように配置したことを特徴とする。
【０００８】
単に写真を載せるのではなく、本考案は、乳幼児の身長方向の中央位置（撮影した乳幼児の状態によって異なるが、概ね乳幼児のへそ〜胸の位置が相当する。）を本を見開いた際の中央となる「のど部」に合わせるように配置した事が最大の特徴である。即ち、乳幼児を抱きかかえる際は、自然と乳幼児の背中が丸まるような状態となるが、乳幼児の等身大写真における当該乳幼児の身長方向の中央位置が、本の見開きのど部となるように配置したことによって、本を見開いた際に恰もその乳幼児を抱きかかえているような感覚となるのである。特に、本考案における乳幼児の写真は、被写体である乳幼児を寸分の狂いもない等身大写真として作成されている事とも相俟って（この点詳細は後述する。）、５年、１０年と月日が流れた後であっても、本考案にかかる本を開くことで、当時の思い出をリアルに思い出す事ができるのである。
【０００９】
また、当該本を見開いた状態において、のど部を中心として当該本の天又は地の少なくとも一方が、略半月上に凹んだ形状に構成してもよい。
【００１０】
このように構成すれば、本を見開いた状態で読者の体幹部に当該本が沿うような形状となるので、より写真として存在する乳幼児と読者とが近付く事ができ、実際に乳幼児を抱きかかえている感覚をよりリアルに体感することが可能となる。また、天側と地側の両方をこのような凹んだ形状としておけば、抱きかかえる癖（乳幼児を抱きかかえる際に当該乳幼児の頭部を右手側にするのか左手側にするのかといった癖）に影響を受けることがない。
【００１１】
本考案により、本を見開くだけで、産まれた当時の（撮影当時の）乳幼児を恰も抱いている感覚を体感することが可能となり、当時の様々な記憶に思いを寄せることができる。
【図面の簡単な説明】
【００１２】
【図１】本考案に係る本を抱きかかえている状態を示した図である。
【図２】撮影時のデジタルカメラ、被写体（乳幼児）の配置等を示した概略図である。
【図３】被写体（乳幼児）にスケール体を当てている状態を示した図である。
【図４】スケール体の斜視図である。
【考案を実施するための形態】
【００１３】
以下、添付図面を参照しつつ、本考案の実施形態の一例である本１０につき説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１４】
〈本の構成〉
本考案にかかる本１０は、特段そのサイズに限定は無いが、見開いた状態において左右方向に（見開き方向に）等身大の乳幼児２００の写真が収まる大きさとされている。具体的には見開きでＡ２サイズ程度が望ましい。
【００１５】
また本１０を見開いた状態で中心位置となる「のど部」１２に、乳幼児２００の身長方向Ｈの中央が位置するように写真が配置されている。この乳幼児２００の身長方向Ｈの中央は、撮影した乳幼児２００の状態によって変動し得る。例えば乳幼児２００が足を伸ばした状態で撮影した写真であれば、その身長方向の中央位置は概ね当該乳幼児２００のへそ付近になる場合が多く、乳幼児２００が足を丸めた状態で撮影した写真であれば、その身長方向の中央位置は概ね当該乳幼児２００の胸付近になる場合が多い。
【００１６】
また、本１０の天１４又は／及び地１６の部分を、当該本１０を見開いた状態において、のど部１２を中心として略半月上に凹んだ形状（図３の点線αとして示したラインに沿った形状。）に構成してもよく、このように構成すれば読者３００の体幹に本１０が沿うようになるので、より乳幼児２００の写真との距離が縮まる。
【００１７】
なお、本１０の中には、等身大写真の他に様々なコンテンツを収録する事が可能である。例えば、撮影当時の手形、足形であってもよいし、家族の写真が収録されていてもよい。
【００１８】
〈写真作成手順〉
次に、図２〜４を参照しつつ、乳幼児を等身大に撮影して写真を作成する手順について説明する。
【００１９】
まず最初に、デジタルカメラ１００のレンズ方向を鉛直下方に向けて三脚１０２等を使用して固定する。
【００２０】
続いてこのデジタルカメラ１００のレンズの真下位置に被写体となる乳幼児２００を寝かせて配置する。
【００２１】
また一方で、レンズの焦点距離を適当位置に固定する。なおこの時の焦点距離は、被写体となる乳幼児の前後差（乳幼児を寝かせた状態における高さ方向の差）に起因して撮影した写真がパース状となるのを防止するべく、５０ｍｍ以上とするのが望ましい。またここで固定した焦点距離は、撮影が終了するまで変更しない。
【００２２】
続いて、乳幼児２００を単独で撮影する（第１の撮影工程）。
【００２３】
続いて、図２に示しているように、スケール体１５０と共に乳幼児２００を撮影する（第２の撮影工程）。具体的には、スケール体１５０の基準面部１５８を乳幼児２００の額に載せるようにして、更に、基準面部１５８が水平となっているかを水準器１６０によって確認した上で当該スケール体１５０（の基準面部１５８）も一緒に撮影する。基準面部１５８を乳幼児２００の額に接触するように配置するのが理想であるが、乳幼児が動く等して基準面が動いてしまうような場合は、僅かに浮かせるようにして配置してもよい。なおこのスケール体１５０は、定規を利用して作成された基準面部１５８と、当該基準面部１５８を支持する本体部１５４と、当該本体部１５４に対して基準面部１５８を上下にスライドして位置決めできる位置決め機構１５６と、基準面部１５８の水平状態を計測できる水準器１６０と、を備えて構成されている（図３参照）。
【００２４】
なお、上記第１の撮影工程と第２の撮影工程の順序が逆になってもよい。
【００２５】
続いて、この第２の撮影工程で取得された画像に基づいて、当該画像を印刷物として出力した際に前記スケール体１５０（の基準面部１５８）が実寸となる倍率を求める。具体的には、市販の画像処理ソフト等を利用して当該画像を読み込んだ上で、スケール体１５０（の基準面部１５８）の印刷時の大きさが、実際の大きさとなる倍率を取得する。基準面部１５８は定規で構成されているので、この定規の目盛り（例えば１０ｃｍ）の大きさが実際に１０ｃｍとなる倍率を求めるのである。
【００２６】
次に、第１の撮影工程で得られた画像を、先の手順で取得した倍率に変換して（画像を置き換えて）印刷することによって、乳幼児２００の正確な等身大写真が完成する。
【００２７】
なお、必要に応じて色補正等を行うことは自由である。
【００２８】
このように、本発明の作成方法によれば、簡単且つ正確に、乳幼児の等身大写真を作成することが可能となる。特に、被写体である乳幼児２００を床に寝かせて配置した場合、高さ方向の厚みがあるためいずれの高さを基準とするのかによって写真とした際の大きさに誤差が生じるが、額位置を基準とすれば、乳幼児２００の写真において最も目を引く顔部の大きさを寸分の狂いもなく等身大に写真として再現することが可能となっている。
【符号の説明】
【００２９】
１０…本（メモリアルブック）
１２…のど部
１４…天
１６…地
１００…デジタルカメラ
１０２…三脚
１５０…スケール体
１６０…水準器
２００…乳幼児（被写体）
３００…読者
α…仮想線
【図１】
0003183972.tif 000003
【図２】
0003183972.tif 000004
【図３】
0003183972.tif 000005
【図４】
0003183972.tif 000006